(57)【要約】【課題】インパクトプリンタ、ノインパクトプリントプリンタの両方に対応した配送伝票を提供する。【解決手段】  上基材と中間基材と下基材とを有し、上基材の裏面と中間基材の表面とが対面し、中間基材の裏面と下基材の表面とが対面するように各基材が積層され、  上基材の表面にインパクトプリンタによる印字領域を有し、かつ下基材の裏面の情報記入部に対して印圧をもって記入した情報が、上基剤裏面の第１複写部及び中間基剤裏面の第２複写部に対して複写される複写機能を有する配送伝票により解決される。【選択図】図１
2010058383.tif 000002
【特許請求の範囲】
【請求項１】
上基材と中間基材と下基材とを有し、上基材の裏面と中間基材の表面とが対面し、中間基材の裏面と下基材の表面とが対面するように各基材が積層され、
上基材の表面に第１情報記入部と第２情報記入部と第３情報記入部と第４情報記入部とを少なくとも有し、前記第２情報記入部と第３情報記入部と第４情報記入部とが切り取り補助線で囲まれているとともに、第４情報記入部と第３情報記入部とが隣接して配され、
上基材の裏面の第３情報記入部に対応する部位に第１複写部を有し、
中間基材の裏面に第２複写部と余白部と粘着部とを有し、前記第２複写部が第１複写部に重なる位置にあり、前記余白部が前記第４情報記入部に重なる位置にあり、かつ、第２複写部と余白部とを合わせた領域が切り取り補助線によって囲まれており、
下基材の裏面に第５情報記入部と第６情報記入部とを有し、前記第５情報記入部が前記第１及び第２複写部に重なる位置にあり、
前記上基材と中間基材とは、第１情報記入部及び第４情報記入部に対応する部位で剥離不能に接着されかつ第２情報記入部及び第３情報記入部に対応する部位で非接着とされ、
前記下基材の表面は離型処理されて下基材と中間基材とが前記粘着部を介して剥離可能に接着され、
かつ、第５情報記入部に対して印圧をもって記入した情報が第１複写部及び第２複写部に対して複写される複写機能を有している、
ことを特徴とする配送伝票。
【請求項２】
上基材の裏面の少なくとも第１複写部に顕色剤層を有し、中間基材の表面の少なくとも第１複写部に重なる部分に発色剤層を有し、中間基材の裏面の少なくとも第２複写部に顕色剤層及び発色剤層を有することで、情報記入部に対して印圧をもって記入した情報が第１複写部及び第２複写部に対して複写される複写機能を有する請求項１記載の配送伝票。
【請求項３】
上基材と中間基材とは、周縁部において剥離不能に接着されている請求項１記載の配送伝票。
【請求項４】
中間基材裏面の粘着部は、上基材と中間基材とが剥離不能に接着されている周縁部に対応する部分が含まれるように配されている請求項３記載の配送伝票。
【発明の詳細な説明】
【技術分野】
【０００１】
本発明は、宛先情報等を記入して配送品に貼付して用いる配送伝票に関し、特に、インパクトプリンタ、ノンインパクトプリンタを用いて印字・印刷可能な配送伝票に関する。
【背景技術】
【０００２】
配送伝票においては、記入情報の複写が必要な場合には、バックカーボン紙やノーカーボン紙等の複写機能を有する帳票を複数枚重ねて綴じ合わせた複写構造のものが用いられている。
【０００３】
この構造の配送伝票は、紙面がコンパクトであり、手書きによっても複写が可能であるといった利点があるが、高速印字が可能であるとともに普及率の高いインクジェットプリンタやレーザープリンタ等のノンインパクトプリンタが利用できないという欠点がある。
【０００４】
しかし、配送伝票に記入するすべての情報について複写が必要ではない場合もあり、このような複写の必要ではない情報について高速なノンインパクトプリンタによる印字が可能となれば利便性が高まるとともに、コストの削減にも繋がる。
【特許文献１】特開平７−１３４５５４公報
【特許文献２】特開１１−２８８７６号公報
【特許文献３】特願２００７−１１５０号公報
【発明の開示】
【発明が解決しようとする課題】
【０００５】
そこで、本発明の主たる課題は、複写不要な情報についてはノンインパクトプリンタによって高速に印字をすることができ、複写が必要な情報についてはインパクトプリンタや手書き等によって複写を取ることができる、配送伝票を提供することにある。
【課題を解決するための手段】
【０００６】
上記課題を解決した本発明は次記のとおりである。
【０００７】
＜請求項１記載の発明＞
上基材と中間基材と下基材とを有し、上基材の裏面と中間基材の表面とが対面し、中間基材の裏面と下基材の表面とが対面するように各基材が積層され、
上基材の表面に第１情報記入部と第２情報記入部と第３情報記入部と第４情報記入部とを少なくとも有し、前記第２情報記入部と第３情報記入部と第４情報記入部とが切り取り補助線で囲まれているとともに、第４情報記入部と第３情報記入部とが隣接して配され、
上基材の裏面の第３情報記入部に対応する部位に第１複写部を有し、
中間基材の裏面に第２複写部と余白部と粘着部とを有し、前記第２複写部が第１複写部に重なる位置にあり、前記余白部が前記第４情報記入部に重なる位置にあり、かつ、第２複写部と余白部とを合わせた領域が切り取り補助線によって囲まれており、
下基材の裏面に第５情報記入部と第６情報記入部とを有し、前記第５情報記入部が前記第１及び第２複写部に重なる位置にあり、
前記上基材と中間基材とは、第１情報記入部及び第４情報記入部に対応する部位で剥離不能に接着されかつ第２情報記入部及び第３情報記入部に対応する部位で非接着とされ、
前記下基材の表面は離型処理されて下基材と中間基材とが前記粘着部を介して剥離可能に接着され、
かつ、第５情報記入部に対して印圧をもって記入した情報が第１複写部及び第２複写部に対して複写される複写機能を有している、
ことを特徴とする配送伝票。
【０００８】
＜請求項２記載の発明＞
上基材の裏面の少なくとも第１複写部に顕色剤層を有し、中間基材の表面の少なくとも第１複写部に重なる部分に発色剤層を有し、中間基材の裏面の少なくとも第２複写部に顕色剤層及び発色剤層を有することで、情報記入部に対して印圧をもって記入した情報が第１複写部及び第２複写部に対して複写される複写機能を有する請求項１記載の配送伝票。
【０００９】
＜請求項３記載の発明＞
上基材と中間基材とは、周縁部において剥離不能に接着されている請求項１記載の配送伝票。
【００１０】
＜請求項４記載の発明＞
中間基材裏面の粘着部は、上基材と中間基材とが剥離不能に接着されている周縁部に対応する部分が含まれるように配されている請求項３記載の配送伝票。
【発明の効果】
【００１１】
本発明によれば、複写不要な情報についてはノンインパクトプリンタによって高速に印字をすることができ、複写が必要な情報についてはインパクトプリンタや手書き等によって複写を取ることができる配送伝票が提供される。
【発明を実施するための最良の形態】
【００１２】
次いで、本発明の実施形態を図１〜１０を参照しながら以下に詳述する。
【００１３】
なお、図１は、本発明の配送伝票の平面図であるとともに、上基材の表面を示す図であり、図２は、上基材の裏面を示す図である。
【００１４】
図３は、中間基材の表面を示す図であり、図４は、中間基材の裏面を示す図である。
【００１５】
図５は、下基材の表面を示す図であり、図６は、本発明の配送伝票の裏面図であるとともに、下基材の裏面を示す図である。
【００１６】
図７は、図１のＡ−Ａ断面図であり、図８は、図１のＢ−Ｂ断面図であり、図９は、図１のＣ−Ｃ断面図であり、図１０は、図１のＤ−Ｄ断面図である。
【００１７】
『構造例』
本形態の配送伝票Ｘ１は、上基材１と中間基材２と下基材３とを有し、上基材の裏面１Ｂと中間基材の表面２Ａとが対面し、中間基材の裏面２Ｂと下基材の表面３Ａとが対面するように前記各基材が積層された３層構造をなしている。
そして、特に図１に示すように、上基材の表面１Ａには、フレキソ印刷、オフセット印刷、グラビア印刷等の既知の印刷技術により枠欄や当該枠内に記載すべき情報を指定する表示等を印刷することで、第１情報記入部としての宛先表示部１１と第２情報記入部としての受領証部１２と第３情報記入部としての配達者控え部１３と第４情報記入部としての受取人控え部１４とが形成されている。
このうち特に配達者控え部１３と受取人控え部１４とは隣接して配される。図示の形態では、受領証部１２についても、配達者控え部１３に隣接しているが、本発明においては必ずしも隣接している必要はない。
なお、ここでの記載すべき情報とは、例えば、配送先情報、依頼主連絡先、整理番号、集配日、配達予定日、配送品名等である。
他方、受領証部１２、配達者控え部１３及び受取人控え部１４の各部は、矩形に配された切り取り補助線Ｌ１で全周囲まれて区画分けされており、上基材１の他の部分からそれぞれ分離可能となっている。
【００１８】
また、図示の形態では、好ましい形態として、各部の縁が配送伝票Ｘ１の縁Ｅに重ならないように、中央側に偏位して配されており、配送伝票の周縁に余剰の周縁部Ｚｅが形成されている。
なお、本形態では、好ましく、切り取り補助線Ｌ１で矩形に囲まれる適宜の部のコーナーが小三角状にカットされた所謂コーナーカット５０が施されており、切り取り開始端として当該コーナーが摘みやすくなっている。
【００１９】
ここで、切り取り補助線Ｌ１とは、当該線に沿って切断されるように配した、ミシン目線、スリット線、ハーフスリット線などであり、最も好ましい切り取り補助線は、意図せず切断し難く、必要時に所定方向に向かって順次ミシン目線が裂けるジッパーミシン目線である。
【００２０】
他方、上基材の裏面１Ｂの配達者控え部１３に対応する部位に第１複写部が配１５されている。すなわち、前記配達者控え部１３と第１複写部１５とは表裏の関係となっている。
第１複写部１５もまた、フレキソ印刷、オフセット印刷、グラビア印刷等の既知の印刷技術により枠欄や当該枠内に記載すべき情報を指定する表示等を印刷して形成されている。
【００２１】
ここで、上基材１は、前記中間基材２に対して、宛先表示部１１及び受取人控え部１４に対応する裏面の部位で接着剤層４０を介して剥離不能に接着されかつ受領証部１２及び配達者控え部１３に対応する裏面の部位では非接着とされている。さらに、本形態では、好ましい形態として、前記余剰の周縁部Ｚｅにおいても上基材１と中間基材２とが接着されている。  
【００２２】
従って、受領証部１２及び配達者控え部１３については、切り取り補助線Ｌ１の切り取りにより上基材１の他の部分及び中間基材２から分離され、切り抜かれるようにして各々別体のシートとなる。
なお、上基材１と中間基材２との接着は、これらの基材間の上述の適宜の位置に、既知の非剥離性接着剤を層状、薄膜状、網目状に配されて行なわれていればよく、接着剤の種類については、本発明では接着剤の種類は特に限定されるものではない。
【００２３】
他方、中間基材の裏面２Ｂには第２複写部２１と余白部２２と粘着部２３とが配されている。この第２複写部２１は前記第１複写部１５に重なる位置にあり、余白部２２は前記受取人控え部１４に重なる位置にある。すなわち、第２複写部２１は、中間基材２における第１複写部１５と対面する部分に対して表裏の関係にあり、余白部２２は受取人控え部１４に対面する部分に対して表裏の関係にある。
【００２４】
第２複写部２１もまた、フレキソ印刷、オフセット印刷、グラビア印刷等の既知の印刷技術により枠欄や当該枠内に記載すべき情報を指定する表示等を印刷して形成されている。本形態では、第２複写部は、前記第１複写部と同様の不変情報印刷が施されている。
【００２５】
他方、余白部２２については、特に印刷などにより記載内容を指定する必要がないが、上に掲げた印刷法によって何らかの説明書きなどを施してもよい。
【００２６】
他方、第２複写部２１と余白部２２とを合わせた領域は、矩形に配された切り取り補助線Ｌ２によって囲まれている。図示例では、この矩形領域にも好ましくコーナーカット５０が施されている。
前記矩形領域は、上記説明からも理解されるように、上基材１における配達者控え部１３と受取人控え部１４とが連接された領域と同形状であるとともに重なり合う位置にある。
【００２７】
他方、第２複写部と余白部とは一連とされ、矩形領域内において、それらの境界にはミシン目線等の切断補助線は設けられていない。また、印刷線などにより境界を特に明確に示す必要もない。なお、図３及び４中においては、便宜上、第２複写部と余白部との境界は一点鎖線で示す。
【００２８】
他方、前記粘着部２３は、ホットメルト粘着剤、アクリル系粘着剤、天然ゴム系粘着剤、合成ゴム系粘着剤、シリコーン系粘着剤等の既知の粘着剤が層状、薄膜状、網目状に配されてなる部分であり、適宜の粘着力を有して、配送伝票を配送品に貼付するためのものである。粘着部２３の厚さは、特に限定されない。通常は、１０〜５０μｍ、好ましくは２０〜３０μｍ程度である。１０μｍ以下だと粘着力が不足し、切取り片が紛失する恐れがあり、５０μｍ以上になると粘着剤が基材からはみ出す恐れがある。なお、上記掲げた粘着剤のなかで最も好ましいのは乾燥性に優れるホットメルト粘着剤である。
【００２９】
この粘着部２３は、第２複写部２１及び余白部２２以外の部分に配され、本形態では、好ましく第２複写部２１及び余白部２２を合わせた切り取り補助線Ｌ２で囲まれる矩形領域及びその外周縁部以外の部分全体に配されている。ここでの外周縁部２９ｅとは、前記切り取り補助線Ｌ２の切り離しに粘着部２３が影響を与えない程度範囲であり、０．１〜１０ｍｍ程度の範囲である。さらに、本形態では、より好ましく上述の余剰の周縁部Ｚｅに対応する部分にも粘着部２３が配されており、配送伝票Ｘ１の周縁部Ｚｅが配送品に貼付されるように構成されている。
なお、前記中間基材２における、切り取り補助線Ｌ２も上基材１のものと同様に、当該線に沿って切断されるように配した、ミシン目線、スリット線、ハーフスリット線などであり、最も好ましい切り取り補助線Ｌ２は、ジッパーミシン目線である。
【００３０】
他方、前記下基材の表面３Ａは、シリコーン、長鎖アルキルポリマー、ポリオレフィン、アルキド樹脂、フッ素化合物等の離型剤３０Ｂが層状、薄膜状、網目状に配されて離型処理されており、下基材３と中間基材２とは、前記中間基材２の粘着部２３を介して剥離可能に接着されている。すなわち、中間基材の裏面２Ｂに配されている第２複写部２１及び余白部２２は、下基材３に対して自由な状態となっている。
従って、上基材１の少なくとも配達者控え部１３が切り離された状態においては、中間基材裏面２Ｂの第２複写部２２と余白部２３は、上基材１の受取人控え部１４と一体的に、他の部分から分離可能となっている。
【００３１】
他方、下基材の裏面３Ｂには、第５情報記入部として複写用情報記入部３１と第６情報記入部として発送者控え部３２とが配されている。前記複写用情報記入部３１は、前記第１複写部１５及び第２複写部２１に重なる位置に配されており、発送者控え部３２は、複写用情報記入部３１以外の部分に配されている。発送者控え部３２の位置は限定されないが、好ましくは、図示例の如く、受取人控え部１４に重なる位置にある。
また、本形態の下基材１には、図示されるように、好ましく複写用情報記入部３１と発送者控え部３２とを合わせた領域を他の領域から分離可能とするミシン目線等の切り取り補助線Ｌ３が形成されている。
【００３２】
他方、本形態の配送伝票Ｘ１における上基材１及び中間基材２はノーカーボン紙であり、より詳細には、上基材１が、表面１Ａに発色剤層も顕色剤層も有さずかつ裏面１Ｂに顕色剤層１０Ｂを有する所謂下用紙であり、中間基材２が、表面２Ａに顕色剤層２０Ａ、裏面２Ｂに顕色剤層２０Ｂと発色剤層２０Ｃとを有する所謂中用紙である。
従って、本形態の配送伝票Ｘ１では、上基材の裏面１Ｂに第１複写部１５、中間基材の裏面２Ｂに第２複写部２１、下基材の裏面３Ｂに複写用情報記入部３１が配されているとともに、これらが重なる位置にあり、また、それらの間に粘着部２３や接着層４０が介在しないことから、下基材の裏面３Ｂの複写用情報記入部３１に対して印圧をもって記入した情報が既知のノーカーボン紙の原理により第１複写部１５及び第２複写部２２に対して複写される。
なお、本発明において顕色剤層を構成する顕色剤、発色剤層を構成する発色剤、或いはノーカーボン紙の番手については、特に限定されない。手書き記入や用いるノンインパクトプリンタの使用を考慮して適宜選定すればよい。
なお、本発明の配送伝票における複写機能については、この形態に限定されない。例えば、図示はしないが、上基材及び中間基材のそれぞれを、裏面に顕色剤層と発色剤層とを有するノーカーボン紙としてもよい。
【００３３】
また、上基材を裏面に顕色剤層を有する下用紙とし、中間基材を表面に顕色剤層、裏面に顕色剤層を有する中用紙とし、下基材を表面に発色剤層を有する上用紙とする構成であってもよい。この場合、下基材の離型処理を行なうにあたって、当該情報記入部に対応する部分のみ離型処理されないようして、発色剤層が離型剤によって被覆されないようにすればよい。
さらには、ノーカーボン紙を用いずに、中間基材を第１情報記入部に対面する部分にカーボン層を設けたバックカーボン紙とし、下基材を第２情報記入部に対面する部分にカーボン層を設けたバックカーボン紙としてもよい。
【００３４】
上述のいずれの構成をとっても、下基材の裏面の情報記入部に対して印圧をもって記入した情報が第１複写部及び第２複写部に対して複写される。
【００３５】
なお、本発明における各基材１〜３のベースとなる原紙は、特に限定されない。クラフト紙、上質紙、グラシン紙、パーチメント紙、レーヨン紙、コート紙等を使用することができる。
【００３６】
ただし、上基材１については、配送時に風雨に暴露される可能性があることから、耐水性に優れる基材とするのが望ましい。また、表面１Ａには湿潤紙力増強剤を塗布して湿潤時の紙力を向上させる処理をするのが望ましい。
【００３７】
また、本発明の配送伝票においては、上述の複写機能を発揮させるべく、積層時における紙厚を３５０μｍ以下、特に２７５〜３２５μｍとするのが望ましい。紙厚が３５０μｍを超えると手書きで複写部に記入をした際、筆圧が弱いと、複写機能が発揮できなくなる可能性がある。また、ノンインパクトプリンターで印刷する際に紙詰まりが起こりやすくなる問題がある。
【００３８】
『使用方法例』
次いで、上記本形態の配送伝票Ｘ１の使用方法例を説明する。
【００３９】
まず、インクジェットプリンタ、レーザープリンタ等のノンインパクトプリンタによって、上基材の表面１Ａに形成された宛先表示部１１、受領証部１２、配達者控え部１３、受取人控え部１４に必要な情報を印刷する。このとき、本配送伝票Ｘ１は、各部１１〜１４が同一面に形成されているため、各部１１〜１４に対して一度に印字・印刷をすることができる。なお、ここでの必要な情報とは、例えば、受取人や依頼主の氏名・会社名・住所などの連絡先・配送先、配送品の品名等である。
【００４０】
この宛先表示部１１、受領証部１２、配達者控え部１３、受取人控え部１４への情報の印刷に前後して、配送伝票Ｘ１の裏面を構成する下基材裏面３Ｂの複写用情報記入部３１及び発送者控え部３２にも必要な情報を記入する。このとき情報記入部３１に対しては、手書き又はインパクトプリンタにより情報を記入する。この手書き又はインパクトプリンタによる複写用情報記入部３１へ情報記入を行なうと、上述の複写機能によって第１複写部１５及び第２複写部２１に、当該記入情報と同じ情報が複写される。
【００４１】
この複写する情報は、特に限定されないが、受取人、配達業者、依頼主である発送者の間で共有したい情報等であり、例えば、配達業者において配送品を配送する過程で配送品が破損してしまった際の免責事項に対して依頼主が同意したことを表示する依頼主のサインや、配送品の内容について違法性がないことの宣誓情報等が挙げられる。
【００４２】
また、パソコン、家電などを修理や不良品回収等の諸事情のために販売メーカーが製品を回収する際や、引っ越しの荷物など、配達業者が預かる荷物の梱包作業を行うような配送システムにおいて本伝票を用いるのであれば、当該荷物の梱包前の状態を配達業者が書き入れるチェック欄や、このチェック欄の内容に相違がないことに同意する依頼主のサイン等も挙げられる。
【００４３】
したがって、上述の情報記入部、第１複写部、第２複写部を構成する枠欄や当該枠内に記載すべき情報を指定する表示等は、かかる情報に関する事項が例示できる。
なお、発送者控え部３２に対する記入については、ノンインパクトプリンタ、インパクトプリンタ、手書きのいずれの記入態様をも採ることができ、特に限定されない。
次いで、受領証部１２、配達者控え部１３、受取人控え部１４、複写用情報記入部３１及び発送者控え部３２の各部に必要な情報を記入したならば下基材１を中間基材２から剥離する。
このとき中間基材裏面２Ｂの粘着部２３に対面している下基材表面３Ａは離型処理されているので問題なく剥離される。
そして、この下基材１の剥離によって複写用情報記入部３１及び発送者控え部３２が別体となり発送者の控えとなり、それとともに中間基材裏面２Ａの粘着部２３が露出される。
【００４４】
本形態においては、複写用情報記入部３１と発送者控え部３２とを合わせた領域を他の領域から分離可能とする切り取り補助線Ｌ３が形成されているため、必要に応じて、当該切り離し線で切断して、不必要な余剰部分を廃棄して、当該控えをコンパクトにする。
【００４５】
次いで、露出された中間基材裏面２Ｂの粘着部２３を介して配送品に当該配送伝票を貼付する。このとき、第２複写部２１及び余白部２２には粘着剤が配されていないためこれらの部分は配送伝票Ｘ１が配送品に貼付されたも配送品に対しては自由となっている。
【００４６】
次いで、発送者はこの状態において、配達業者や運送会社等の配達者に対して配送品を受け渡して、配送品の配送を依頼する。配達者は、配送品を受け取った後に、上基材１の配達者控え部１３に係る切り取り補助線Ｌ１を切断して、配達者控え部１３を別体にしてこれを配達者の控えとする。この配達者控えには、その裏面が第２複写部２１となっているため、前記複写用情報記入部３１に記入した情報の複写が取られている。
【００４７】
配達者は、その後に宛先表示部等の表示にしたがって配送品を受取人へ配送し、受取人へ配送品を受け渡す。このとき、配達者は受領証部１２にかかる切り取り補助線Ｌ２を切断して配送品より分離し、これに受取人より受領確認の押印やサインをもらって受領証とする。
【００４８】
配送品を受け取った受取人は、配送品の梱包を解いて梱包物を確認するとともに、受取人控え部１４と余白部２２と第２複写部２１に係る切り取り補助線Ｌ１，Ｌ２を切断して、各控えとする。このとき、本発明の配送伝票Ｘ１では余白部２２に対応する部分と受取人控え部１４に対応する部分が剥離不能に接着されているとともに、余白部２２と第２複写部２１とが連接しているため、切り取り補助線Ｌ１，Ｌ２の切断によってそれら各部が一体的に分離される。また、上述のとおり、例えば複写された情報が梱包物の梱包前の状態に関する情報であれば梱包物と第２複写部２１の情報とを照合して配達時に梱包物の破損が生じなかったかを確認する。
【００４９】
かくして、配送品の配送が完了し、この時点で、発送者には自身で記入した情報記入部と依頼主控え情報とが手元に控えとして残り、配達業者には受領証と配達者控えと依頼主が記入した情報の複写が残り、受取人には受取人控えと依頼主が記入した情報の複写が残る。
【００５０】
このように本発明の配送伝票は、上基材の表面の各部に記入した情報に基づいて、宛先への配達及び受領の確認といった配送の基本的機能が達成されるとともに、発送者が記入した情報の複写を配達業者及び受取人が得ることができる。
【００５１】
そして、その上基材の表面に配された配達の基本的機能を達成するための宛先表示部、受領証部、配達者控え部及び受取人控え部についてはノンインパクトプリンタによって情報を記入することができ、複写が必要な情報については、インパクトプリンタ、手書きによって記入することができる。
【００５２】
以上、詳述のとおり本発明の配送伝票は、極めて利便性に優れるととともに機能的な配送伝票である。
【産業上の利用可能性】
【００５３】
本発明は、配送品に貼付して用いる配送伝票に利用可能できる。
【図面の簡単な説明】
【００５４】
【図１】本発明の配送伝票の平面図であるとともに、上基材の表面を示す図である。
【図２】上基材の裏面を示す図である。
【図３】中間基材の表面を示す図である。
【図４】中間基材の裏面を示す図である。
【図５】下基材の表面を示す図である。
【図６】本発明の配送伝票の裏面図であるとともに、下基材の裏面を示す図である。
【図７】図１のＡ−Ａ断面図である。
【図８】図１のＢ−Ｂ断面図である。
【図９】図１のＣ−Ｃ断面図である。
【図１０】図１のＤ−Ｄ断面図である。
【符号の説明】
【００５５】
１…上基紙、１Ａ…上基材の表面、１Ｂ…上基材の裏面、２…中間基材、２Ａ…中間基材の表面、２Ｂ…中間基材の裏面、３…下基材、３Ａ…下基材の表面、３Ｂ…下基材の裏面、Ｌ１，Ｌ２，Ｌ３…切り取り補助線、１０Ｂ，２０Ａ，２０Ｂ…顕色剤層、２０Ｃ…発色剤層、１１…宛先表示部、１２…受領証部、１３…配達者控え部、１４…受取人控え部、１５…第１複写部、２１…第２複写部、２２…余白部、２３…粘着部、２９ｅ…外周縁部、３１…複写用情報記入部、３２…発送者控え部、４０…接着剤層、５０…コーナーカット隅部、Ｅ…配送伝票の縁、Ｚｅ…配送伝票の周縁部、Ｘ１…配送伝票。
【図１】
2010058383.tif 000003
【図２】
2010058383.tif 000004
【図３】
2010058383.tif 000005
【図４】
2010058383.tif 000006
【図５】
2010058383.tif 000007
【図６】
2010058383.tif 000008
【図７】
2010058383.tif 000009
【図８】
2010058383.tif 000010
【図９】
2010058383.tif 000011
【図１０】
2010058383.tif 000012